【手続補正書】
【提出日】平成15年6月18日(2003.6.18)
【手続補正１】
【補正対象書類名】明細書
【補正対象項目名】発明の名称
【補正方法】変更
【補正の内容】
【発明の名称】デジタル画像管理検索システム、デジタルカメラシステム、デジタル画像管理検索方法及びデジタルカメラシステムの制御方法
【手続補正２】
【補正対象書類名】明細書
【補正対象項目名】特許請求の範囲
【補正方法】変更
【補正の内容】
【特許請求の範囲】
【請求項１】
１つの画像ファイル内における各シーンの先頭画面の開始位置を示す時間軸データと各シーンの内容に対応するインデックスからなる画像インデックスと、１つの画像ファイル内の複数の画像インデックスを格納する画像インデックスリストを各画像ファイルに対して保持する手段と、
前記画像インデックスリストに格納された画像インデックスのインデックス名を表示し利用者の指定を受け付けるインデックス表示／指定手段と、
前記インデックス表示／指定手段によって指定されたインデックスリストの保持するシーンの開始位置の画像を表示する画像ファイル表示再生手段と、
前記画像インデックスリストの生成及び前記画像インデックスリストへの画像インデックスの追加、読み出し、変更、削除を行う画像インデックス管理手段とを備えたことを特徴とするデジタル画像管理検索システム。
【請求項２】
請求項１において、
前記画像ファイルは動画像を記録した動画ファイルであることを特徴とするデジタル画像管理検索システム。
【請求項３】
請求項２において、
さらに、前記インデックス名の変更を行う動画インデックス名編集手段を備えたことを特徴とするデジタル画像管理検索システム。
【請求項４】
請求項２において、
さらに、動画像を編集する動画編集手段を備え、前記動画編集手段によって所定の時間帯の動画データが削除されたとき、前記時間帯に画像インデックスが含まれていた場合には、前記画像インデックス管理手段は、前記画像インデックスを前記画像インデックスリストから削除し、前記時間帯以降の全ての動画インデックスの対応時間軸データから削除された時間帯に相当する時間を減算して更新するように構成されていることを特徴とするデジタル画像管理検索システム。
【請求項５】
請求項２において、
さらに、動画像を編集する動画編集手段を備え、前記動画編集手段によって所定の時間帯の動画データが追加されたとき、前記画像インデックス管理手段は、前記時間帯以降の全ての画像インデックスの対応時間軸データに追加された時間帯に相当する時間を加算して更新し、前記インデックス表示／指定手段は、更新の対象とする画像インデックスのインデックス名のうち対応時間軸データを文字列に変換して表示している画像インデックスの表示を更新するように構成されていることを特徴とするデジタル画像管理検索システム。
【請求項６】
複数の画像ファイルにアクセスするためのファイル名と各画像ファイルのシーンとしての名称を表すインデックス名からなる画像ファイルインデックスと、
該画像ファイルインデックスを複数保持できるとともに、各画像ファイルの再生順序を規定する画像ファイルインデックスリストを複数保持する保持手段と、前記画像ファイルインデックスリストに格納された前記画像ファイルインデックスのインデックス名を表示して利用者の所望の指定を受け付けるインデックス表示／指定手段と、
前記インデックス表示／指定手段によって指定された画像ファイルインデックスに対応する画像ファイルの先頭画像を表示し、動画の再生時は前記画像ファイルインデックスリストに格納された順にしたがって連絡して各画像ファイルの再生を行う画像ファイル表示再生手段と、
前記画像ファイルインデックスリストの生成と、前記画像ファイルインデックスリストへの画像ファイルインデックスの追加、読み出し、変更、削除を行う画像ファイルインデックス管理手段とを備えたことを特徴とするデジタル画像管理検索システム。
【請求項７】
請求項６において、
前記画像ファイルは動画像を記録した動画ファイルであることを特徴とするデジタル画像管理検索システム。
【請求項８】
請求項７において、
さらに、動画ファイルインデックスのインデックス名の変更を行う動画ファイルインデックス名編集手段を備えたことを特徴とするデジタル画像管理検索システム。
【請求項９】
請求項７において、
前記動画グループを再生する際の再生開始位置を指定する再生開始位置指定グラフィカルユーザーインターフェースを有し、前記画像ファイル表示再生手段は、動画像グループを構成する前記画像ファイルインデックスリスト中の各ファイルの所要再生時間を解析して前記動画グループの時間軸データを生成し、前記動画像グループの時間軸データに対して各画像ファイルのファイル名と時間軸データを対応付け、前記動画グループを再生する際の前記再生開始位置指定グラフィカルユーザーインターフェースの時間軸は前記動画グループの時間軸データによって表示され、前記再生開始位置指定グラフィカルユーザーインターフェースより得られた再生開始指定位置から対応する動画ファイル名と該動画ファイル内における時間軸データを得て、指定の画面を表示することを特徴とするデジタル画像管理検索システム。
【請求項１０】
動画ファイルを管理するためのリストと、
前記リストに動画ファイルを登録する手段と、
前記リストに動画ファイルを登録する際に、動画ファイルから所定時間の部分データを所定の間隔で抜き取り、１つの動画データとして連結した抄録動画データを作成するとともに、前記抄録動画データを構成する部分動画データの先頭画像の集合を抄録静止画データとして自動生成し保持する手段と、
指定された動画データの抄録動画データもしくは抄録動画データを表示する手段を有する動画ファイル一覧手段を備えたことを特徴とするデジタル画像管理検索システム。
【請求項１１】
撮像手段と、
前記撮像手段によって任意の指定期間に撮像した動画データを動画データファイルとして記録する動画ファイル作成手段と、
前記動画データファイルに動画ファイルインデックスを自動的に付加するとともに、前記指定期間に対応して生成された前記動画ファイルインデックスリストに各動画ファイルインデックスを自動的に追加するインデックスリスト管理手段とを備えたことを特徴とするデジタル画像管理検索システム。
【請求項１２】
請求項１１において、
前記インデックス生成手段は、１つの動画ファイルインデックスリストを撮影日単位で自動的に生成することを特徴とするデジタル画像管理検索システム。
【請求項１３】
撮像手段と、
前記撮像手段によって任意の指定期間に撮像した動画データを動画データファイルとして記録する動画ファイル作成手段と、
動画撮影時に、前記動画ファイルから所定時間の部分データを所定の間隔で抜き取り、１つの動画データとして連結した抄録動画データを自動的に作成するとともに、前記抄録動画データを構成する部分動画データの先頭画像の集合を抄録静止画データとして自動生成し保持する手段とを備えたことを特徴とするデジタルカメラシステム。
【請求項１４】
１つの画像ファイル内における各シーンの先頭画面の開始位置を示す時間軸データと各シーンの内容に対応するインデックスからなる画像インデックスと、１つの画像ファイル内の複数の画像インデックスを格納する画像インデックスリストを各画像ファイルに対して保持するステップと、
前記画像インデックスリストに格納された画像インデックスのインデックス名を表示し利用者の指定を受け付けるインデックス表示／指定ステップと、
前記インデックス表示／指定ステップにおいて指定されたインデックスリストの保持するシーンの開始位置の画像を表示する画像ファイル表示再生ステップと、
前記画像インデックスリストの生成及び前記画像インデックスリストへの画像インデックスの追加、読み出し、変更、削除を行う画像インデックス管理ステップとを備えたことを特徴とするデジタル画像管理検索方法。
【請求項１５】
複数の画像ファイルにアクセスするためのファイル名と各画像ファイルのシーンとしての名称を表すインデックス名からなる画像ファイルインデックスと、
該画像ファイルインデックスを複数保持できるとともに、各画像ファイルの再生順序を規定する画像ファイルインデックスリストを複数保持する保持ステップと、
前記画像ファイルインデックスリストに格納された前記画像ファイルインデックスのインデックス名を表示して利用者の所望の指定を受け付けるインデックス表示／指定手段と、
前記インデックス表示／指定手段によって指定された画像ファイルインデックスに対応する画像ファイルの先頭画像を表示し、動画の再生時は前記画像ファイルインデックスリストに格納された順にしたがって連絡して各画像ファイルの再生を行う画像ファイル表示再生ステップと、
前記画像ファイルインデックスリストの生成と、前記画像ファイルインデックスリストへの画像ファイルインデックスの追加、読み出し、変更、削除を行う画像ファイルインデックス管理ステップとを備えたことを特徴とするデジタル画像管理検索方法。
【請求項１６】
動画ファイルを管理するためのリストを有するデジタル画像管理検索システムのデジタル画像管理検索方法において、
前記リストに動画ファイルを登録するステップと、
前記リストに動画ファイルを登録する際に、動画ファイルから所定時間の部分データを所定の間隔で抜き取り、１つの動画データとして連結した抄録動画データを作成するとともに、前記抄録動画データを構成する部分動画データの先頭画像の集合を抄録静止画データとして自動生成し保持するステップと、
指定された動画データの抄録動画データもしくは抄録動画データを表示する手段を有する動画ファイル一覧ステップとを備えたことを特徴とするデジタル画像管理検索方法。
【請求項１７】
撮像手段を有するデジタル画像管理検索システムのデジタル画像管理検索方法において、
前記撮像手段によって任意の指定期間に撮像した動画データを動画データファイルとして記録する動画ファイル作成ステップと、
前記動画データファイルに動画ファイルインデックスを自動的に付加するとともに、前記指定期間に対応して生成された前記動画ファイルインデックスリストに各動画ファイルインデックスを自動的に追加するインデックスリスト管理ステップとを備えたことを特徴とするデジタル画像管理検索方法。
【請求項１８】
撮像手段を有するデジタルカメラの制御方法であって、
前記撮像手段によって任意の指定期間に撮像した動画データを動画データファイルとして記録する動画ファイル作成ステップと、
動画撮影の際に、前記動画ファイルから所定時間の部分データを所定の間隔で抜き取り、１つの動画データとして連結した抄録動画データを自動的に作成するとともに、前記抄録動画データを構成する部分動画データの先頭画像の集合を抄録静止画データとして自動生成し保持するステップとを備えたことを特徴とする制御方法。
【手続補正３】
【補正対象書類名】明細書
【補正対象項目名】０００１
【補正方法】変更
【補正の内容】
【０００１】
【発明の属する技術分野】
本発明はデジタル動画ファイルをブラウジングするデジタル動画管理検索システム、デジタル動画データを記録するデジタルカメラシステム、デジタル動画管理検索方法、及びデジタルカメラの制御方法に関する。